(57)【要約】【課題】屋内の入隅部に簡易に設置可能でありながらも見栄えを向上し得る昇降収納装置を提供する。【解決手段】昇降収納装置１は、屋内の入隅部２において隣り合う両壁面３，３間に跨るように、かつこれら両壁面のそれぞれに交差するように配設される前面部１７を有し、前記壁面に沿うように固定される基台１０と、この基台の前面部に沿うように配設される背面部２１を有し、前記基台に対して昇降自在とされた収納棚２０と、前記基台の前面部から前方に突出する前端部３２，３３が前記収納棚の背面部に連結される一方、後端部３４，３５，３６が前記基台に昇降自在に保持された連結部材３０と、を備えている。【選択図】図１
2013215503.tif 000002
【特許請求の範囲】
【請求項１】
屋内の入隅部において隣り合う両壁面間に跨るように、かつこれら両壁面のそれぞれに交差するように配設される前面部を有し、前記壁面に沿うように固定される基台と、
この基台の前面部に沿うように配設される背面部を有し、前記基台に対して昇降自在とされた収納棚と、
前記基台の前面部から前方に突出する前端部が前記収納棚の背面部に連結される一方、後端部が前記基台に昇降自在に保持された連結部材と、
を備えていることを特徴とする昇降収納装置。
【請求項２】
請求項１において、
前記収納棚の背面部の幅寸法を、前記基台の前面部の幅寸法と略同寸法としたことを特徴とする昇降収納装置。
【請求項３】
請求項２において、
前記収納棚は、前記背面部の幅方向両側端部に連なるように設けられ、かつ前記両壁面にそれぞれ沿うように配設される両側板部を備えていることを特徴とする昇降収納装置。
【請求項４】
請求項３において、
前記収納棚は、前記両側板部のそれぞれの前端部にそれぞれ回動自在に連結され、かつ閉鎖状態で互いに略直交するように配設される一対の扉体を備えていることを特徴とする昇降収納装置。
【請求項５】
請求項１乃至４のいずれか１項において、
前記基台の前面部は、前記連結部材が挿通される昇降方向に長尺のスリット状開口を設けた平板状の前板部であることを特徴とする昇降収納装置。
【発明の詳細な説明】
【技術分野】
【０００１】
本発明は、昇降自在とされた収納棚を備えた昇降収納装置に関する。
【背景技術】
【０００２】
従来より、昇降自在とされた昇降式の収納装置が知られている。
例えば、下記特許文献１では、部屋の入隅上方に設置され、入隅の隣り合う両壁面にそれぞれ固定される裏面を有した上面視五角形状の外筐体の底面開口部から上下方向に進退する昇降棚を設けた昇降式ウォールキャビネットが提案されている。このキャビネットでは、外筐体の内部両側に、昇降棚に連結された昇降ベース部材の昇降をガイドするスライドレールを設けた構造とされている。
また、下記特許文献２では、入隅部に昇降自在に配設される収納キャビネットを備えたコーナーシステムキッチンが提案されている。このキッチンでは、直交する二つの壁面にそれぞれスライドレールを埋設し、収納キャビネットの壁面側に各スライドレールに昇降自在に係合する係合手段を設けた構造とされている。
【先行技術文献】
【特許文献】
【０００３】
【特許文献１】特開２０１０−２５２９３６号公報
【特許文献２】特開２００９−７２５２９号公報
【発明の概要】
【発明が解決しようとする課題】
【０００４】
しかしながら、上記特許文献１に記載されたキャビネットでは、外筐体に対して昇降棚が昇降する構造とされ、かつ、外筐体の内部両側に、スライドレール等の昇降装置を設けた構造とされている。従って、昇降棚を降下させた状態では、昇降棚の背面側と入隅部の両壁面との間に比較的に大きな空間が形成され、また、スライドレール等の昇降装置が該空間を介して目立ち易くなり、見栄えが悪いという問題があった。
また、上記特許文献２に記載されたキッチンにおいては、各スライドレールが両壁面にそれぞれ埋設されているため、上記のような空間は比較的に小さくはなる。しかしながら、収納キャビネットの両壁面側に各係合手段を設けた構造とされているため、壁面との間に設けられるクリアランス（隙間）等を介して係合手段が見えることも考えられ、更なる改善が望まれる。また、各スライドレールを両壁面に埋設する構造とされているので、設置に大掛かりな工事が必要となり、更なる改善が望まれる。
【０００５】
本発明は、上記実情に鑑みてなされたものであり、屋内の入隅部に簡易に設置可能でありながらも見栄えを向上し得る昇降収納装置を提供することを目的としている。
【課題を解決するための手段】
【０００６】
上記目的を達成するために、本発明に係る昇降収納装置は、屋内の入隅部において隣り合う両壁面間に跨るように、かつこれら両壁面のそれぞれに交差するように配設される前面部を有し、前記壁面に沿うように固定される基台と、この基台の前面部に沿うように配設される背面部を有し、前記基台に対して昇降自在とされた収納棚と、前記基台の前面部から前方に突出する前端部が前記収納棚の背面部に連結される一方、後端部が前記基台に昇降自在に保持された連結部材と、を備えていることを特徴とする。
【０００７】
本発明においては、前記収納棚の背面部の幅寸法を、前記基台の前面部の幅寸法と略同寸法としてもよい。
また、本発明においては、前記収納棚を、前記背面部の幅方向両側端部に連なるように設けられ、かつ前記両壁面にそれぞれ沿うように配設される両側板部を備えたものとしてもよい。
また、本発明においては、前記収納棚を、前記両側板部のそれぞれの前端部にそれぞれ回動自在に連結され、かつ閉鎖状態で互いに略直交するように配設される一対の扉体を備えたものとしてもよい。
また、本発明においては、前記基台の前面部を、前記連結部材が挿通される昇降方向に長尺のスリット状開口を設けた平板状の前板部としてもよい。
【発明の効果】
【０００８】
本発明に係る昇降収納装置は、上述のような構成としたことで、屋内の入隅部に簡易に設置可能でありながらも見栄えを向上させることができる。
【図面の簡単な説明】
【０００９】
【図１】本発明の一実施形態に係る昇降収納装置の一例を模式的に示し、図３におけるＸ−Ｘ線矢視に対応させた概略横断面図である。
【図２】同昇降収納装置を模式的に示し、図３におけるＹ−Ｙ線矢視に対応させた概略縦断面図である。
【図３】同昇降収納装置を模式的に示す概略斜視図である。
【図４】（ａ）、（ｂ）は、同昇降収納装置が備える基台の一例をそれぞれ模式的に示し、（ａ）は、概略分解平面図、（ｂ）は、概略分解正面図である。
【図５】（ａ）〜（ｃ）は、同昇降収納装置が備える連結部材の一例を模式的に示し、（ａ）は、概略分解平面図、（ｂ）は、概略分解側面図、（ｃ）は、概略分解背面図である。
【図６】同昇降収納装置が備える収納棚の一例を模式的に示す概略正面図である。
【発明を実施するための形態】
【００１０】
以下に本発明の実施の形態について、図面に基づいて説明する。
図１〜図６は、本実施形態に係る昇降収納装置の一例を模式的に示す図である。
なお、一部の図では、他図に付している詳細な符号の一部を省略している。
また、以下の実施形態では、昇降収納装置が設置された状態で、図１におけるＶ方向から見た状態（入隅部において隣り合う両壁面の平面視における二等分線上で入隅部側を見た状態）を基準として、手前側を前方、その逆側を後方とし、また、その状態を基準として、上下方向等の方向を原則的に説明する。
【００１１】
本実施形態に係る昇降収納装置１は、図１〜図３に示すように、壁面３に沿うように固定される基台１０と、この基台１０に沿うように配設され、基台１０に対して昇降自在とされた収納棚２０と、基台１０と収納棚２０とを連結する連結部材３０と、を備えている。
本実施形態では、昇降収納装置１の基台１０を、図１に示すように、屋内の入隅部２において隣り合う両壁面３，３に沿わせるように配設した入隅部用昇降収納装置としている。
【００１２】
基台１０は、両壁面３，３に跨るように、かつこれら両壁面３，３のそれぞれに交差するように配設される前面部１７を有している。
収納棚２０は、基台１０の前面部１７に沿うように配設される背面部２１を有している。
連結部材３０は、その一端部としての後端部３４，３５，３６が基台１０に昇降自在に保持される一方、基台１０の前面部１７から前方に突出する他端部としての前端部３２，３３が収納棚２０の背面部２１に連結される構成とされている。
【００１３】
上記のような構成とすることで、屋内の入隅部２に簡易に設置可能でありながらも見栄えを向上させることができる。
つまり、基台１０が壁面３に沿うように固定される構造とされているので、大掛かりな工事を要せず、屋内の入隅部２に比較的に簡易に当該昇降収納装置１を設置することができる。
また、この基台１０に対して昇降自在に収納棚２０を保持する連結部材３０を、基台１０の前面部１７に沿うように配設される収納棚２０の背面部２１に連結した構造としている。従って、収納棚２０の両側と両壁面３，３との間の隙間等から連結部材３０を見え難くすることができ、見栄えを向上させることができる。
【００１４】
また、入隅用の昇降収納装置１を構成する場合には、収納棚２０の両壁面３，３側と、両壁面３，３（または外箱等の両側内壁面）との間にスライドレール等の昇降連結部材を設けることも考えられる。この場合には、両側の昇降連結部材が互いに平行とはならずに、平面視してハの字状に配設されることとなるため、両者の取付精度等によってはスムーズな昇降がなされないことも考えられる。本実施形態によれば、このような問題を抑制することもできる。なお、連結部材３０の具体的構成については後述する。
【００１５】
また、本実施形態では、図１に示すように、この収納棚２０の背面部２１の幅寸法（左右寸法）を、基台１０の前面部１７の幅寸法（左右寸法）と略同寸法としている。このような構成とすることで、収納棚２０の収納空間を効率的に大きくすることができる。つまり、収納棚２０の背面部２１の幅寸法を、両壁面３，３間に跨るように配設される基台１０の前面部１７よりも大きくすることはし難いが、この前面部１７と略同寸法とすることで略最大限の寸法とすることができ、収納空間を効率的に大きくすることができる。
本実施形態では、基台１０の前面部１７を、それぞれの壁面３，３とのなす角が略等角度となるように配設されるものとしており、収納棚２０の背面部２１を、基台１０の前面部１７に対して略平行に、かつ当接または近接させて配設している。なお、基台１０の具体的構成については後述する。
【００１６】
収納棚２０は、本実施形態では、背面部２１の幅方向（左右方向）両側端部に連なるように設けられ、かつ両壁面３，３にそれぞれ沿うように配設される両側板部２２，２２を備えている。このような構成とすることで、背面部２１の背面側に位置する連結部材３０をより目立ち難くすることができ、見栄えをより向上させることができる。つまり、両側板部２２，２２は、両壁面３，３間に跨るように配設される基台１０の前面部１７の幅寸法と略同寸法とされた背面部２１の幅方向両側端部に連なるように設けられ、かつ両壁面３，３にそれぞれ沿うように配設される。従って、これら両側板部２２，２２と、両壁面３，３とが比較的に近接することとなり、例えば、このような側板部を設けていない場合と比べて、背面部２１の背面側に位置する連結部材３０をより目立ち難くすることができる。
【００１７】
また、本実施形態では、収納棚２０を、箱状の収納箱２０としており、比較的に上下に長尺な縦型の収納箱２０とした例を示している。
この収納箱２０は、上記した背面部としての背板部２１と、両側板部２２，２２と、当該収納箱２０の収納空間の上方側を覆う天板２５と、該収納空間の下方側を覆う底板２６と、を備え、前方に開口する箱形状とされている。また、収納箱２０は、該収納空間を上下に区画する棚板（横仕切板）２７を備えている（図２及び図３も参照）。
【００１８】
両側板部２２，２２は、背板部２１の幅方向のそれぞれの側端部から手前側に延びるように、かつ手前側に向かうに従い互いに拡開するように形成されており、両壁面３，３にそれぞれ沿うように配設される。つまり、一方の側板部２２が背板部２１の幅方向一端部から一方の壁面３に沿うように斜め手前に延びるように形成されている。また、他方の側板部２２が背板部２１の幅方向他端部から他方の壁面３に沿うように斜め手前に延びるように形成されている。また、これら両側板部２２，２２は、それぞれの壁面３，３に対して略平行に配設され、また、背板部２１の幅方向中心線を対称軸として互いに左右対称状に形成されている。また、図例では、それぞれの側板部２２，２２の壁面３，３に向く面と、それぞれの壁面３，３との間に、当該収納箱２０の昇降がなされる際に、両壁面３，３と接触しないようにクリアランスを設けた例を示している。
【００１９】
また、これら両側板部２２，２２のそれぞれの前端部には、扉体２３，２３が回動自在に連結されている。これら扉体２３，２３は、本実施形態では、閉鎖状態で互いに略直交するように配設される一対の扉体２３，２３とされている。このような構成とすることで、一方の壁面３に沿う方向側から一方の扉体２３を開閉したり、他方の壁面３に沿う方向側から他方の扉体２３を開閉したりすることができる。これにより、これら二方向のいずれか一方側から収納箱２０の収納空間内に物品を出し入れすることができ、使い勝手を向上させることができる。
【００２０】
また、本実施形態では、これら一対の扉体２３，２３は、閉鎖状態では、各扉体２３，２３が回動自在に連結された各側板部２２，２２に対して、それぞれの板幅方向を略直交方向に沿わせるように配設される構成とされている。
これら扉体２３，２３は、それぞれの後端部（板幅方向一端部）が、それぞれの側板部２２，２２の前端部に回動自在に連結され、後端部を回動支点として、略垂直線廻り（略水平面域方向）に回動自在とされている。
また、本実施形態では、これら扉体２３，２３は、閉鎖状態で、互いの前端部（板幅方向他端部）同士が突き合わせられるように近接または当接する構成とされている。また、図例では、これら扉体２３，２３の突き合わせ部位に、上下に延びる戸当り部等を設けておらず、これら扉体２３，２３の両方を開放させた状態では、収納箱２０の前方開口が大きく開放される構成とされている。
また、図例では、これら扉体２３，２３は、それぞれの後端部が両側板部２２，２２の各前端部に回動自在に保持されたピン状の回動軸２４，２４に連結され、各回動軸２４，２４廻りに回動自在とされている。
【００２１】
また、本実施形態では、図２及び図６に示すように、収納箱２０を、複数（図例では、二つ）の収納ユニット２０Ａ，２０Ｂを上下に積み重ねるように設けた構成としている。これら上下の収納ユニット２０Ａ，２０Ｂは、概ね同様の構成とされており、上記した背板部２１、両側板部２２，２２及び一対の扉体２３，２３をそれぞれに備えている。つまり、図例では、棚板２７によって上下に区画された上下の収納ユニット２０Ａ，２０Ｂのそれぞれに、一対の扉体２３，２３，２３，２３を設けた態様としている。
【００２２】
上記した各扉体２３の後端部に連結された回動軸２４は、図２及び図６に示すように、各扉体２３の後端部の上下端部から上下方向にそれぞれ突出するように設けられている。各回動軸２４は、上下の収納ユニット２０Ａ，２０Ｂのそれぞれの両側板部２２，２２，２２，２２の前端部の上下端部から互いに向き合う方向に突出するように設けられた連結片に挿通されて回動自在に保持されている。また、図例では、各回動軸２４は、各側板部２２の各連結片を貫通するように設けられており、突出方向先端部が、天板２５の下面側、底板２６の上面側及び棚板２７の上下両面側の左右端部のそれぞれに設けられた軸受部に回動自在に保持されている。なお、回動軸２４を、側板部２２側に固定的に設け、扉体２３側に、この回動軸２４を回動自在に保持する軸受部を設けた態様としてもよい。
【００２３】
また、上側の収納ユニット２０Ａは、その上方側が天板２５で覆われ、下方側が棚板２７で覆われている。また、下側の収納ユニット２０Ｂは、その上方側が棚板２７で覆われ、下方側が底板２６で覆われている。
天板２５及び底板２６は、背板部２１、両側板部２２，２２及び閉鎖状態とされた一対の扉体２３，２３に応じた形状とされている。これら天板２５及び底板２６は、本実施形態では、平面視における形状が、一角部を後方側に配置した略正方形状の後方側の一角部を切除したような略五角形状とされている。これら天板２５及び底板２６は、互いに上下反転させたような形状とされ、概ね同様の構成とされている。
【００２４】
棚板２７は、平面視において、天板２５及び底板２６と略同寸同形状とされている。この棚板２７の後端部には、後記する連結部材３０の前端部３２，３３に応じた切欠状の受入部が形成されている（図１参照）。
これら天板２５の下面側、底板２６の上面側及び棚板２７の上下両面側には、上下の収納ユニット２０Ａ，２０Ｂの各背板部２１及び各両側板部２２，２２の上下端部に設けられた係合部と互いに係合して接合される係合部が設けられている。これらの係合部としては、背板部２１及び両側板部２２，２２の板幅方向に沿うように形成され、上下方向に突出した係合突部や上下方向に開口した係合凹溝等としてもよい。上下の収納ユニット２０Ａ，２０Ｂの各背板部２１及び各両側板部２２，２２と、天板２５、底板２６及び棚板２７とは、これらの係合部を互いに係合させることで組み付けるようにしてもよい。この際、接着剤等を用いて組み付けるようにしてもよく、または、このような態様に代えて、若しくは加えて、釘やねじ等の止具を用いて組み付けるようにしてもよい。
【００２５】
また、上下の収納ユニット２０Ａ，２０Ｂの各背板部２１，２１には、上下に長尺のスリット状開口２１ａ，２１ａがそれぞれに形成されている。これらスリット状開口２１ａ，２１ａは、図１に示すように、各背板部２１，２１の幅方向略中心で上下に延びるように設けられている。また、これらスリット状開口２１ａ，２１ａは、各背板部２１，２１を厚さ方向（前後方向）に貫通し、かつ互いに向き合う方向に開口している（図２及び図６も参照）。つまり、上側の収納ユニット２０Ａの背板部２１のスリット状開口２１ａは、下方に向けて開口し、下側の収納ユニット２０Ｂの背板部２１のスリット状開口２１ａは、上方に向けて開口している。これらスリット状開口２１ａ，２１ａには、後記する連結部材３０の前端部としての連結部３２が挿通される。
【００２６】
収納箱２０を、上記のような概ね同様の構成とされた複数の収納ユニット２０Ａ，２０Ｂを、棚板２７を挟んで上下に積み重ねたような構成とすることで、上下に複数段の収納箱２０を簡易に構成することができる。つまり、棚板２７の枚数を増減させることで、概ね共通の部材を用いて収納箱２０の上下の段数を増減させることができ、低コスト化が図れ、汎用性を向上させることができる。
【００２７】
なお、この収納箱２０を構成する背板部２１、両側板部２２，２２、一対の扉体２３，２３、天板２５、底板２６及び棚板２７は、木質系材料や合成樹脂系材料から形成されたものとしてもよい。また、一対の扉体２３，２３は、透明や半透明等の透光性を有した材料から形成されたものとしてもよい。
また、これら扉体２３，２３と両側板部２２，２２との連結態様としては、上記したようなピン状の回動軸２４，２４に代えて、羽根（平）蝶番やスライド蝶番等の連結具によって連結する態様としてもよい。また、これら扉体２３，２３の突き合わせ部位に、上下に延びる棒状の戸当り部等を設けるようにしてもよい。また、これら扉体２３，２３の各前端部（板幅方向他端部）等に、把手等の手掛部を設けるようにしてもよい。
【００２８】
また、この収納箱２０の上下寸法や幅寸法等は、当該昇降収納装置１に収納される被収納物の種類や、設置場所、使用用途等に応じて適宜、設定するようにすればよい。例えば、キッチンに設置される調理台や、リビングに設置されるテレビ等のＡＶラック、作業机などの床置き型の家具等の上方に配設するような場合には、下降させた際に下方側の家具等と干渉せず、上昇させた際に天井に近接するような寸法としてもよい。また、例えば、リビングや居室等に設置する場合には、収納箱２０を上昇させた状態で、邪魔になり難いような寸法としてもよい。例えば、このような観点等から、上下寸法を４００ｍｍ〜８００ｍｍ程度、幅寸法を２００ｍｍ〜６００ｍｍ程度とした収納箱２０としてもよい。
【００２９】
基台１０は、図２及び図３に示すように、上下に長尺とされている。本実施形態では、この基台１０の上下寸法を、収納箱２０の上下寸法よりも大きくしており、収納箱２０は、この基台１０の前面側において上下に昇降される構成とされている。図例では、基台１０の上下寸法を、収納箱２０の上下寸法の２倍程度とした例を示している。この基台１０の上下寸法は、上記したように、種々の床置き型の家具等の上方側に当該昇降収納装置１を設置する場合には、該家具等の高さ寸法や天井高さ等に応じて適宜、設定するようにしてもよく、例えば、８００ｍｍ〜１６００ｍｍ程度としてもよい。または、リビングや居室等に設置する場合には、基台１０の上下寸法を、床面から天井に略至るような上下寸法としてもよく、この場合には、収納箱２０の上下寸法も上記したよりも大きくするようにしてもよい。
【００３０】
また、基台１０は、図１及び図２に示すように、中空状とされ、図２及び図４（ｂ）に示すように、上下に略等間隔を空けて設けられた複数の歯部１５ａを有したラック状昇降案内部１５を内部に備えている。
この基台１０は、図１に示すように、後記する連結部材３０の後端部３４，３５，３６を昇降自在に保持する保持レール状体１１と、この保持レール状体１１の前面側を覆うように配設されたカバー体１６と、を備えている。
【００３１】
保持レール状体１１には、図４に示すように、上下に延びるガイド溝１２が設けられている。このガイド溝１２は、保持レール状体１１の幅方向（左右方向）略中心に設けられ、また、保持レール状体１１の上下の全長に亘って設けられている。また、このガイド溝１２の前方には、後記する連結部材３０の連結部３２が挿通されるスリット状の開口１３が上下の全長に亘って形成されている。この開口１３は、保持レール状体１１の幅方向略中心に設けられている。
また、ガイド溝１２は、図１及び図４（ａ）に示すように、平面視して略矩形状とされ、開口１３の両側内壁面（後方側に向く面）が開口１３に向かうに従い前方側にやや傾斜したテーパ状とされている。
【００３２】
また、本実施形態では、ガイド溝１２の溝底面（前方側に向く面）に、上記したラック状昇降案内部としてのラック状昇降案内板１５を沿わせるように固定している。このラック状昇降案内板１５は、薄平板状とされ、ガイド溝１２の上下の全長に亘って設けられている。
また、このラック状昇降案内板１５は、図２及び図４に示すように、前方に突出し、幅方向（左右方向）に延びる複数の歯部１５ａの間に、歯溝１５ｂを設けた歯形状とされている。また、図例では、歯部１５ａの縦断面形状を略矩形状とし、歯部１５ａの上下寸法よりも歯溝１５ｂの上下寸法を大きくした例を示している。
また、本実施形態では、このラック状昇降案内板１５を、鉄や炭素鋼等の磁石に吸着される強磁性体材料から形成されたものとしている。なお、このラック状昇降案内板１５を、保持レール状体１１に一体的に設けた態様としてもよい。
【００３３】
また、保持レール状体１１のガイド溝１２が設けられた部位の両側には、両壁面３，３にそれぞれに沿うように配設される固定片部１４，１４が設けられている。これら固定片部１４，１４は、ガイド溝１２が設けられた部位の両側から両壁面３，３にそれぞれ沿うように手前側に延びるように設けられ、手前側に向かうに従い互いに拡開するように形成されている。また、これら固定片部１４，１４には、図１及び図４（ｂ）に示すように、釘やねじ等の止具が挿通される止具孔１４ａが設けられている。この止具孔１４ａは、各固定片部１４，１４に、上下に間隔を空けて複数箇所に設けられている。保持レール状体１１は、これら止具孔１４ａを介して止具によって両壁面３，３に固定される。
また、保持レール状体１１は、前面部１７と略平行に形成され、入隅部２に対面するように配設される背面部と、該背面部に連なり、両壁面３，３に当接するように配設される上記した固定片部１４，１４を含む両側面部とを有している。また、保持レール状体１１は、平面視における外郭形状が略等脚台形状とされており、幅方向中心線を対称軸として左右対称状に形成されている。
【００３４】
カバー体１６は、上記した基台１０の前面部を構成する薄平板状の前板部１７を備え、この前板部１７には、図３及び図４（ｂ）に示すように、後記する連結部材３０の連結部３２が挿通される昇降方向（上下方向）に長尺のスリット状開口１７ａが設けられている。このような構成とすることで、収納箱２０の上下に露出する基台１０の前面側がすっきりとした印象となり、より見栄えを向上させることができる。
【００３５】
また、前板部１７のスリット状開口１７ａは、図２及び図４（ｂ）に示すように、前板部１７の上下の全長に亘って形成されておらず、基台１０に対して昇降する連結部材３０の昇降を規制するストッパー部としても機能する構成とされている。つまり、スリット状開口１７ａの上側開口縁に連結部材３０の上端部が当接して連結部材３０の上方側への移動が規制され、スリット状開口１７ａの下側開口縁に連結部材３０の下端部が当接して連結部材３０の下方側への移動が規制される構成とされている。また、このように規制される連結部材３０が上限位置（最上方位置）とされた状態では、図２において二点鎖線で示すように、収納箱２０は、その上面が基台１０（カバー体１６）の上面近傍に位置付けられる。また、連結部材３０が下限位置（最下方位置）とされた状態では、収納箱２０は、その下面が基台１０（カバー体１６）の下面近傍に位置付けられる。なお、連結部材３０の昇降を規制するストッパー部としては、上記のような態様に限られず、例えば、保持レール状体１１のガイド溝１２の適所等に、ストッパー部としてのストッパー片等を設けた態様としてもよい。
【００３６】
また、この前板部１７は、保持レール状体１１の前面側を覆うように配設される。図例では、前板部１７の幅方向両側端部に、保持レール状体１１の両側の固定片部１４，１４の前端面を覆い、両壁面３，３に近接または当接される両側片部を設けた態様としている。
また、カバー体１６は、図２及び図３に示すように、保持レール状体１１の上面側を覆う上カバー部１８と、保持レール状体１１の下面側を覆う下カバー部１９と、を備えている。
これら上下のカバー部１８，１９は、薄平板状とされ、前板部１７の上下にそれぞれ連なるように設けられている。また、これら上下のカバー部１８，１９は、図４（ａ）に示すように、平面視における形状が、保持レール状体１１の外郭形状に応じた略等脚台形状とされている。
【００３７】
なお、カバー体１６は、上下のカバー部１８，１９を保持レール状体１１の上下に被せ、嵌め込むようにして保持レール状体１１に固定されるものとしてもよい。また、これらカバー体１６及び保持レール状体１１に、互いに係合する係合部を設け、保持レール状体１１に対してカバー体１６を着脱自在に固定可能とした態様としてもよい。または、このカバー体１６を、ねじ等の止具や接着剤等によって保持レール状体１１に固定するようにしてもよい。
また、基台１０の保持レール状体１１及びカバー体１６は、合成樹脂系材料等から上記形状に形成されたものとしてもよい。または、アルミニウム等の非磁性の金属系材料から形成されたものとしてもよい。
【００３８】
連結部材３０は、その他端部としての前端部に、収納箱２０の背板部２１に連結される連結部３２を備えている。
本実施形態では、連結部３２を、基台１０の保持レール状体１１の開口１３を介して前方に突出し、カバー体１６の前板部１７のスリット状開口１７ａ及び収納箱２０の背板部２１のスリット状開口２１ａに挿通される上下に長尺に形成された連結部３２としている。つまり、この連結部３２は、収納箱２０の背板部２１を貫通するように設けられている。この連結部３２の幅寸法（左右寸法）は、カバー体１６の前板部１７のスリット状開口１７ａ及び収納箱２０の背板部２１のスリット状開口２１ａと略同寸法とされている。
【００３９】
また、この連結部３２の前端部には、収納箱２０の背板部２１の前面に当接されて抜止となる抜止部３３が連なるように設けられている。図例では、抜止部３３を、連結部３２の上下の全長に亘って設けられた略平板状の抜止板状部３３としている（図５（ａ）、（ｂ）及び図６も参照）。
抜止板状部３３は、図１に示すように、連結部３２の前端部から幅方向（左右方向）両側に延びるように形成されている。つまり、連結部材３０は、連結部３２と抜止板状部３３とによって平面視（横断面視）して略Ｔ字状の形状とされている。なお、連結部３２の上下の全長に亘って抜止板状部３３を設けた態様に代えて、連結部３２の上下に間隔を空けて複数の抜止片を抜止部として設けた態様としてもよい。
【００４０】
また、連結部材３０は、その一端部としての後端部に、本実施形態では、基台１０のガイド溝１２に収容され、ガイド溝１２に沿って昇降がガイドされるスライド部３４を備えている。
このスライド部３４は、図１及び図５（ａ）に示すように、連結部３２の後端部から幅方向（左右方向）両側に二股状に分岐するように形成されている。このスライド部３４は、連結部３２の上下の全長に亘って連結部３２の後端部に連なるように設けられている。また、このスライド部３４は、基台１０のガイド溝１２の開口１３の両側内壁面（後方側に向く面）及び溝幅方向両側内壁面にそれぞれ当接されるテーパ形状の前面部及びこの前面部の両側に連なる両側面部を有している。
本実施形態では、連結部材３０は、このスライド部３４と、上記した連結部３２及び抜止板状部３３と、を一体的に設けた上下に長尺の連結本体３１を備えた構成としている。
【００４１】
また、連結部材３０は、その後端部に、上記した基台１０内に収容され、この基台１０のラック状昇降案内板１５の歯部１５ａに噛み合い収納箱２０を任意の昇降位置で保持する係合部３６を設けた構成とされている。このような構成とすることで、収納箱２０の昇降を案内する昇降案内側の構造の簡略化を図りながらも収納箱２０を任意の昇降位置で保持させることができる。
つまり、収納箱２０の昇降を案内する昇降案内側となる基台１０を、上下に略等間隔を空けて設けられた複数の歯部１５ａを有したラック状昇降案内板１５を内部に設けた構造としている。従って、回転部材やチェーン等を基台１０に設ける必要がなく、基台１０の構造の簡略化を図ることができる。
また、この基台１０と収納箱２０とを連結する連結部材３０の後端部に設けられた係合部３６は、上記のように中空状とされた基台１０内に収容されているので、目立ち難くなり、見栄えを向上させることができる。また、この係合部３６は、基台１０のラック状昇降案内板１５の歯部１５ａに噛み合い収納箱２０を任意の昇降位置で保持する構造とされているので、収納箱２０を任意の昇降位置で保持させることができる。これにより、物品等の出し入れし易い位置に収納箱２０を位置付けることができ、使い勝手を向上させることができる。
【００４２】
また、本実施形態では、図１及び図２に示すように、係合部３６を、基台１０のラック状昇降案内板１５に対向するように、連結部材３０の後端部に回動自在に保持された無端ベルト状体３６としている。この無端ベルト状体３６は、基台１０のラック状昇降案内板１５の複数の歯部１５ａのうちの複数に噛み合う複数の歯部３６ａを周方向に略等間隔を空けて設けた構成とされている。このような構成とすることで、収納箱２０の昇降に伴い、無端ベルト状体３６が基台１０のラック状昇降案内板１５の前面側を転動するようにして無限軌道状に回動することとなり、収納箱２０を比較的にスムーズに昇降させることができる。
【００４３】
この無端ベルト状体３６は、図１に示すように、基台１０のラック状昇降案内板１５の幅寸法（左右寸法）に応じた幅寸法とされている。また、無端ベルト状体３６は、図２に示すように、前後方向に比較的に薄く、上下方向に比較的に長尺に形成されており、外郭形状が略平板状とされている。この無端ベルト状体３６の上下寸法は、図５（ｂ）、（ｃ）に示すように、連結本体３１の上下寸法よりも僅かに小さい寸法とされている。
また、この無端ベルト状体３６は、図５（ｂ）、（ｃ）に示すように、当該無端ベルト状体３６の外周面に突出し、幅方向（左右方向）に延びる複数の歯部３６ａの間に、歯溝３６ｂを設けた歯形状とされている。また、図２に示すように、無端ベルト状体３６の歯部３６ａの縦断面形状を、基台１０のラック状昇降案内板１５の形状に対応させて略矩形状とした例を示している。この無端ベルト状体３６の歯部３６ａの上下寸法は、基台１０のラック状昇降案内板１５の歯溝１５ｂの上下寸法に応じた寸法とされている。また、無端ベルト状体３６の歯溝３６ｂの上下寸法は、基台１０のラック状昇降案内板１５の歯部１５ａの上下寸法に応じた寸法とされている。
【００４４】
また、本実施形態では、無端ベルト状体３６と基台１０のラック状昇降案内板１５とが磁力により吸着し、収納箱２０の昇降位置の保持がなされる構成としている。このような構成とすることで、例えば、互いの摩擦力等によって収納箱２０の昇降位置の保持がなされるものとした場合と比べて、摩擦抵抗を小さくすることができ、収納箱２０をよりスムーズに昇降させることができる。
本実施形態では、上記したようにラック状昇降案内板１５を、強磁性体材料から形成されたものとし、無端ベルト状体３６に、ラック状昇降案内板１５に吸着する磁石を設けている。本実施形態では、図２及び図５（ｂ）、（ｃ）に示すように、ゴム等の可撓性のある材料から形成されたベルト本体３８の外周面に、ゴム磁石等の可撓性のあるボンド系の磁石３７を歯部３６ａとして設けた構造としている。つまり、本実施形態では、ベルト本体３８の外周面における複数の磁石３７間を、歯溝３６ｂとしている。
【００４５】
上記のような構成により、無端ベルト状体３６及び基台１０のラック状昇降案内板１５の歯部３６ａ，１５ａ同士が互いに噛み合う構成とされている。また、無端ベルト状体３６の歯部３６ａ（磁石３７）がラック状昇降案内板１５に吸着し、連結部材３０の基台１０に対する昇降位置の保持がなされ、これにより、連結部材３０に連結された収納箱２０が任意の昇降位置で保持される構成とされている。
【００４６】
また、本実施形態では、無端ベルト状体３６を、基台１０のラック状昇降案内板１５に対向するように配設された上下に長尺の平板状ベルト保持部３５の表裏両面（前面及び後面）に沿うように巻回している。このような構成とすることで、例えば、上下に間隔を空けて設けた複数の棒状体やローラー等によって無端ベルト状体３６を回動自在に保持する構造としたものと比べて、構造の簡略化が図れ、また、無端ベルト状体３６の上下の途中部位等の厚さ方向（前後方向）に沿う移動や変形を抑制することができる。これにより、基台１０のラック状昇降案内板１５に対する無端ベルト状体３６の係合強度を向上させることができ、基台１０に対する収納箱２０の昇降位置をより安定的に保持させることができる。
【００４７】
この平板状ベルト保持部３５は、本実施形態では、上記した連結本体３１の後端部に設けられたスライド部３４の二股状に分岐された両側の後端部に、架け渡されるように設けられたベルト保持板状体３５とされている。上記したスライド部３４は、ベルト保持板状体３５の表裏両面に沿うように巻回された無端ベルト状体３６の前面側に当接しないように形成されている。
このベルト保持板状体３５は、図５（ｂ）、（ｃ）に示すように、幅方向略中央部位に無端ベルト状体３６を巻回し、この巻回部位の上下寸法が、その両側よりも小さくなるよう、幅方向略中央部位の上端部及び下端部に切欠状部３５ａ，３５ａを設けた構成とされている。このような構成とすることで、無端ベルト状体３６の幅方向への位置ずれ等を抑制することができる。
【００４８】
また、ベルト保持板状体３５は、この無端ベルト状体３６が巻回された部位の両側に、連結本体３１のスライド部３４との固定部を設けた構成とされている。このベルト保持板状体３５の両側の固定部は、図５（ａ）に示すように、それぞれの前面側に、スライド部３４の二股状に分岐された両側の後端部が係合する切欠状の凹段部を設けた構造とされている。このベルト保持板状体３５と連結本体３１とは、止具や接着剤等を用いて固定するようにしてもよい。また、連結本体３１とベルト保持板状体３５とを別体とした態様に代えて、これらを一体的に形成した態様としてもよい。また、無端ベルト状体３６を回動自在に保持するベルト保持部としては、このような平板状とされたベルト保持板状体３５に代えて、上下に間隔を空けて設けた複数の棒状体やローラー等としてもよい。
【００４９】
また、本実施形態では、連結部材３０の後端部の上端部及び下端部に、無端ベルト状体３６の歯部３６ａのラック状昇降案内板１５の歯部１５ａへの噛み合いの解除をガイドするように形成されたガイド部としてのベルト端ガイド部３９ａ，３９ａをそれぞれに設けている。このような構成とすることで、収納箱２０を下降させる際には、ラック状昇降案内板１５に対して回動する無端ベルト状体３６の上端部側を、上端側のベルト端ガイド部３９ａによって噛み合いを解除するようにガイドすることができる。また、収納箱２０を上昇させる際には、ラック状昇降案内板１５に対して回動する無端ベルト状体３６の下端部側を、下端側のベルト端ガイド部３９ａによって噛み合いを解除するようにガイドすることができる。これにより、収納箱２０をよりスムーズに昇降させることができる。
【００５０】
図例では、これら上下のベルト端ガイド部３９ａ，３９ａを、連結本体３１の上面側及び下面側を覆うように配設される上下の連結カバー体３９，３９に設けている。これら上下の連結カバー体３９，３９は、互いに上下反転させたような構成とされ、略同様の構成とされている。
また、この連結カバー体３９，３９は、図５（ａ）に示すように、平面視において、連結本体３１の外郭形状に応じた形状とされており、その後端部に、ベルト端ガイド部３９ａ，３０ａをそれぞれに設けた構成とされている。
これら上下の連結カバー体３９，３９は、連結本体３１の上面及び下面のそれぞれに、止具や接着剤等を用いて固定するようにしてもよい。なお、上記した収納箱２０の背板部２１のスリット状開口２１ａは、連結本体３１の上下に連結カバー体３９，３９が固定された連結部材３０の上下寸法に応じた寸法とされている。また、これら連結カバー体３９，３９の連結部３２に応じた形状とされた部位及び抜止板状部３３に応じた形状とされた部位を含んで、当該連結部材３０の連結部３２及び抜止板状部３３として把握するようにしてもよい。
【００５１】
これら上下のベルト端ガイド部３９ａ，３９ａは、図２及び図５（ｂ）に示すように、無端ベルト状体３６の上端部及び下端部の背面側にそれぞれ沿うような凹湾曲面を有した形状とされている。この凹湾曲面とされた上下のベルト端ガイド部３９ａ，３９ａに無端ベルト状体３６の上端部及び下端部がそれぞれ沿うように当接し、ラック状昇降案内板１５との噛み合いを解除するようにガイドがなされる。
なお、これら上下の連結カバー体３９，３９と連結本体３１とは、止具や接着剤等を用いて固定するようにしてもよい。また、上記のように連結本体３１とベルト端ガイド部３９ａ，３９ａをそれぞれに設けた上下の連結カバー体３９，３９と別体とした態様に代えて、連結本体３１の上端部及び下端部に一体的にそれぞれベルト端ガイド部３９ａ，３９ａを設けた態様としてもよい。さらには、このようなベルト端ガイド部３９ａ，３９ａを連結部材３０に設けないようにしてもよい。
【００５２】
上記構成とされた連結部材３０は、その後端部のスライド部３４等を、基台１０の保持レール状体１１のガイド溝１２に、上方側または下方側から挿入するようにして保持レール状体１１に組み付けるようにしてもよい。
また、連結部材３０の前端側の連結部３２を、基台１０のカバー体１６のスリット状開口１７ａに挿通させる態様としては、カバー体１６をスリット状開口１７ａが形成された部位において上下や左右に分割されたものとしてもよい。そしてこれら分割されたカバー体１６のスリット状開口１７ａに連結部３２を受け入れさせ、これら分割されたカバー体１６を接合する態様としてもよい。または、連結部材３０の連結部３２と抜止板状部３３とを別体とし、カバー体１６のスリット状開口１７ａに連結部３２を挿通させた後に、連結部３２の前端部に抜止板状部３３を固定する態様としてもよい。
【００５３】
また、連結部材３０の前端側の連結部３２を、収納箱２０の背板部２１のスリット状開口２１ａに挿通させる態様としては、カバー体１６と略同様にしてもよい。例えば、収納箱２０を上記のように複数の収納ユニット２０Ａ，２０Ｂによって構成した場合には、上下の収納ユニット２０Ａ，２０Ｂのそれぞれの背板部２１，２１に設けられたスリット状開口２１ａ，２１ａに連結部３２を受け入れさせ、これらを棚板２７等を介して接合する態様としてもよい。または、上記同様、連結部材３０の連結部３２と抜止板状部３３とを別体とし、収納箱２０の背板部２１のスリット状開口２１ａに連結部３２を挿通させた後に、連結部３２の前端部に抜止板状部３３を固定する態様としてもよい。
【００５４】
また、収納箱２０の背板部２１と連結部材３０とは、背板部２１のスリット状開口２１ａの上下縁に連結部材３０の上下端部が当接して互いの上下方向への移動が規制される。また、これら収納箱２０の背板部２１と連結部材３０とは、背板部２１のスリット状開口２１ａの左右縁に連結部材３０の連結部３２の両側部が当接して互いの左右方向への移動が規制される。また、上記のように収納箱２０の背板部２１と基台１０の前板部１７とを当接または近接させた場合においては、前板部１７と抜止板状部３３との間に収納箱２０の背板部２１が挟まれた状態となり、収納箱２０の前後方向への移動が規制される。そのため、収納箱２０の背板部２１と連結部材３０とを止具や接着剤等を用いて固定しないようにしてもよく、または、これらを止具や接着剤等を用いて固定するようにしてもよい。
【００５５】
上記構成とされた本実施形態に係る昇降収納装置１は、基台１０に対して昇降自在とされた収納棚（収納箱）２０を備えているので、この収納箱２０に種々の物品等を収納することができる。また、収納箱２０を基台１０に対して下降させた下降位置とすることで、物品等の出し入れを容易に行える。また、収納箱２０を基台１０に対して上昇させた上昇位置とすることで、収納箱２０が邪魔になり難くなり、空間を有効利用することができる。
また、本実施形態では、連結部材３０に、基台１０のガイド溝１２に沿ってガイドされる上下に長尺のスライド部３４を設けているので、収納箱２０を比較的に安定的に昇降させることができる。
また、本実施形態では、基台１０に対して収納箱２０を昇降自在に保持する連結部材を単一の連結部材３０としている。従って、簡易な構造とすることができる。なお、このような態様に代えて、基台１０及び収納棚２０の左右に間隔を空けて複数の連結部材３０を設けた態様としてもよい。
【００５６】
なお、本実施形態では、収納箱２０に、閉鎖状態で互いに略直交するように配設される一対の扉体２３，２３を設けた態様とした例を示しているが、このような態様に限られない。例えば、収納箱２０の前方開口を開閉する片開き状や引き違い状の扉体を設けるようにしてもよく、その他、種々の扉体を設けるようにしてもよい。さらには、このような扉体を設けずに、収納箱２０の前方開口を常時開放させたものとしてもよい。
また、本実施形態では、収納箱２０の背面部（背板部）２１の幅方向両側端部に両側板部２２，２２を設けた態様とした例を示しているが、このような両側板部２２，２２を設けない態様としてもよい。この場合は、背板部２１の前面側に、複数段または単一の棚板を設けたような態様としてもよい。
また、本実施形態では、収納箱２０の背板部２１の幅寸法を、基台１０の前板部１７の幅寸法と略同寸法とした例を示しているが、収納箱２０の背板部２１の幅寸法を、基台１０の前板部１７の幅寸法よりも小さい寸法としてもよい。
【００５７】
また、本実施形態では、収納箱２０の背板部２１に、連結部材３０の連結部３２が挿通されるスリット状開口２１ａを設けた例を示しているが、このような態様に限られない。収納箱２０の背板部２１に、連結部材３０の連結部３２の前端部を接着剤や止具、固定金具等によって固定する態様としてもよい。さらには、収納箱２０の背板部２１と、連結部材の連結部３２（連結本体３１）と、を一体的に形成したような態様としてもよい。
また、本実施形態では、無端ベルト状体３６と基台１０のラック状昇降案内板１５とが磁力により吸着し、収納箱２０が任意の昇降位置で保持される構成とした例を示しているが、このような態様に限られない。例えば、無端ベルト状体３６と基台１０のラック状昇降案内板１５との歯部３６ａ，１５ａ同士の噛み合いによる摩擦力により、収納箱２０が任意の昇降位置で保持されるものとしてもよい。この場合は、ラック状昇降案内板１５を、合成樹脂系材料や木質系材料等から形成されたものとしてもよく、また、無端ベルト状体３６に磁石３７を設けないようにしてもよい。
【００５８】
また、本実施形態では、基台１０内に収容されてラック状昇降案内板１５の歯部１５ａに噛み合い収納箱２０を任意の昇降位置で保持する係合部を、無端ベルト状体３６とした例を示しているが、このような態様に限られない。例えば、連結部材３０の後端部に、複数の係合突起を上下に間隔を空けて設けたようなものとしてもよい。このような係合突起としては、収納箱２０の昇降に伴いラック状昇降案内板１５の歯部１５ａに対して進退するばね付勢されたものとしてもよい。または、上記のような係合突起としては、収納箱２０を、ラック状昇降案内板１５に対して収納箱２０の反回転モーメント方向に移動させて保持することで、ラック状昇降案内板１５との噛み合いが解除されて収納箱２０の昇降を可能としたものとしてもよい。そして、その反回転モーメント側への外力を除荷することでラック状昇降案内板１５と噛み合い、収納箱２０を任意の昇降位置で保持可能としたものとしてもよい。
【００５９】
また、基台１０に昇降自在に保持され、収納箱２０に連結される連結部材３０としては、上記のようなラック状昇降案内板１５に噛み合い、収納箱２０を任意の位置で保持する係合部を後端部に設けた態様に限られない。例えば、基台１０にラック状昇降案内板１５に代えて、スライドレールの第１レールを固定し、この第１レールに対してスライド自在に係合する第２レールに、前方に向けて突出するように連結部３２等を設けた態様としてもよい。または、基台１０に、プーリーやギア等の回転部材を設け、この回転部材に架け渡されたチェーン等の紐状部材に、前方に向けて突出するように連結部３２等を設けた態様としてもよい。また、基台１０に昇降自在に保持され、収納箱２０に連結される連結部材３０としては、その他、種々の態様とされた連結部材の採用が可能である。
【符号の説明】
【００６０】
１      昇降収納装置
２      入隅部
３      壁面
１０    基台
１７    前板部（前面部）
１７ａ  スリット状開口
２０    収納箱（収納棚）
２１    背板部（背面部）
２２    側板部
２３    扉体
３０    連結部材
３２    連結部（前端部）
３３    抜止板状部（前端部）
３４    スライド部（後端部）
３５    ベルト保持板状体（後端部）
３６    無端ベルト状体（後端部）
【図１】
2013215503.tif 000003
【図２】
2013215503.tif 000004
【図３】
2013215503.tif 000005
【図４】
2013215503.tif 000006
【図５】
2013215503.tif 000007
【図６】
2013215503.tif 000008